(57)【要約】  【課題】  駆動回路の電力損失により発せられる熱を効果的に放熱する。  【解決手段】  駆動回路１０７が発生する熱は、通風路１００に設けた第２の熱交換器１０８から通風路１００に放熱することにより、駆動回路１０７の電力損失によって発生する熱を効果的に放熱し、小形軽量でありながら安定に動作するものとする。【選択図】  図１
2005042975.tif 000002
【特許請求の範囲】
【請求項１】
通風路に設けた第１の熱交換器と、前記第１の熱交換器に低温の物質を供給する電動機と、前記電動機を駆動する駆動回路を有し、前記第１の熱交換器は前記通風路を通過する空気を冷却して除湿し、前記駆動回路が発生する熱は前記通風路に設けた第２の熱交換器から前記通風路に放熱する除湿機。
【請求項２】
第２の熱交換器は、通風路の第１の熱交換器の下流に設けた請求項１に記載の除湿機。
【請求項３】
通風路に設けた第１の熱交換器と、前記第１の熱交換器に低温の物質を供給する電動機と、前記電動機を駆動する駆動回路を有し、前記第１の熱交換器は前記通風路を通過する空気を冷却して除湿し、前記駆動回路が発生する熱は前記物質の通路に設けた第２の熱交換器から前記物質に放熱する除湿機。
【請求項４】
第２の熱交換器は、物質の通路の第１の熱交換器の上流に設けた請求項３に記載の除湿機。
【請求項５】
第２の熱交換器は、物質の通路の第１の熱交換器の下流に設けた請求項３に記載の除湿機。
【請求項６】
通風路に設け、空気から水に熱を移す第１の熱交換器と、前記第１の熱交換器で加熱された水から低温の物質に熱を移す第３の熱交換器と、前記低温の物質を供給する電動機と、前記電動機を駆動する駆動回路を有し、前記駆動回路が発生する熱は前記通風路に設けた第２の熱交換器から前記通風路に放熱する除湿機。
【請求項７】
通風路に設け、空気から水に熱を移す第１の熱交換器と、前記第１の熱交換器で加熱された水から低温の物質に熱を移す第３の熱交換器と、前記低温の物質を供給する電動機と、前記電動機を駆動する駆動回路を有し、前記駆動回路が発生する熱は前記物質の通路に設けた第２の熱交換器から前記物質に放熱する除湿機。
【請求項８】
通風路に設け、空気から水に熱を移す第１の熱交換器と、前記第１の熱交換器で加熱された水から低温の物質に熱を移す第３の熱交換器と、前記低温の物質を供給する電動機と、前記電動機を駆動する駆動回路を有し、前記駆動回路が発生する熱は前記水の通路に設けた第２の熱交換器から前記水に放熱する除湿機。
【請求項９】
通風路の第１の熱交換器の下流に設けた第４の熱交換器を有し、前記第４の熱交換器は、第１の熱交換器により熱を吸収した物質からの熱を再び通風路内の空気に戻す請求項１から請求項８のいずれか１項に記載の除湿機。
【請求項１０】
駆動回路は、電動機に可変の交流電力を出力するインバータ回路を有する請求項１から請求項９いずれか１項に記載の除湿機。
【請求項１１】
被乾燥物を収納する乾燥室と請求項１から請求項１０のいずれか１項に記載する除湿機を有し、前記乾燥室内の空気を除湿することにより前記被乾燥物を乾燥させる乾燥機。
【発明の詳細な説明】
【技術分野】
【０００１】
本発明は、業務用や一般家庭用として使用され、室内の湿度を低下させる除湿機、および衣類をはじめ様々な品物を乾燥させる乾燥機に関するものである。
【背景技術】
【０００２】
従来、この種の除湿機、およびその除湿機を用いた衣類用の乾燥機としては、図９に示されるように、本体１内に、回転ドラム２、モータ３、送風機２２、循環ダクト１８、蒸発器２３、凝縮器２４、圧縮機２５、絞り装置２６、インバータ回路３２を設け、インバータ回路３２によって圧縮機２５を駆動しつつ、回転ドラム２内に入れられた洗濯物などの被乾燥物２１に送風機２２により矢印で示したような風を当て、蒸発器２３で除湿された空気を、凝縮器２４へ導き、乾燥空気として再び回転ドラム２内に循環させ、乾燥空気の一部は排気口２８から外部に排出する構成が示されている（例えば、特許文献１参照）。
【特許文献１】特開平７−１７８２８９号公報
【発明の開示】
【発明が解決しようとする課題】
【０００３】
しかしながら、前記従来の構成の除湿機および乾燥機においては、圧縮機２５を駆動するインバータ回路３２すなわち圧縮機２５の駆動回路の電力損失を逃がして、温度上昇を抑える方法が特に述べられておらず、通常の電子回路と同様に、アルミニウム製の放熱器（ヒートシンク）などによる自然空冷などにより、本体１内の空気中に放熱させるものと考えられる。
【０００４】
ここで、本体１が密閉された空間であることから、インバータ回路３２の熱を効果的に放熱させることが難しく、そのため例えばインバータ回路３２の構成部品としてよく用いられるパワー半導体素子などの温度を、安定に動作が可能な値に抑えるためには、放熱器の大きさおよび重量が大なるものとなり、また価格も高いものとなってしまうという課題を有しているものであった。
【０００５】
本発明は上記課題を解決するもので、小形軽量でありながら駆動回路が生み出す電力損失による発熱を効果的に逃がし、安定して動作する除湿機および乾燥機を提供することを目的とする。
【課題を解決するための手段】
【０００６】
前記課題を解決するために、本発明の除湿機は、通風路に設けた第１の熱交換器と、前記第１の熱交換器に低温の物質を供給する電動機と、前記電動機を駆動する駆動回路を有し、前記第１の熱交換器は前記通風路を通過する空気を冷却して除湿し、前記駆動回路が発生する熱は前記通風路に設けた第２の熱交換器から前記通風路に放熱するものである。
【０００７】
これにより、駆動回路の電力損失によって発生する熱を効果的に放熱し、小形軽量でありながら安定に動作する除湿機を実現するものである。
【発明の効果】
【０００８】
以上説明したように、本発明の除湿機は、駆動回路が発生する熱が通風路に設けた第２の熱交換器から前記通風路に放熱する構成とすることにより、前記駆動回路の電力損失によって発生する熱を効果的に放熱し、小形軽量でありながら安定に動作するものとなる。
【発明を実施するための最良の形態】
【０００９】
請求項１に記載の発明は、通風路に設けた第１の熱交換器と、前記第１の熱交換器に低温の物質を供給する電動機と、前記電動機を駆動する駆動回路を有し、前記第１の熱交換器は前記通風路を通過する空気を冷却して除湿し、前記駆動回路が発生する熱は前記通風路に設けた第２の熱交換器から前記通風路に放熱する構成とすることにより、駆動回路の電力損失によって発生する熱を効果的に放熱し、小形軽量でありながら安定に動作する除湿機を実現することができる。
【００１０】
請求項２に記載の発明は、特に請求項１に記載の除湿機の第２の熱交換器を、通風路の第１の熱交換器の下流に設けた構成にすることにより、第２の熱交換器を小形軽量として、装置の小形化、軽量化が実現できるものである。
【００１１】
請求項３に記載の発明は、通風路に設けた第１の熱交換器と、前記第１の熱交換器に低温の物質を供給する電動機と、前記電動機を駆動する駆動回路を有し、前記第１の熱交換器は前記通風路を通過する空気を冷却して除湿し、前記駆動回路が発生する熱は前記物質の通路に設けた第２の熱交換器から前記物質に放熱する構成にすることにより、特に温度が低い物質への放熱が、小形軽量で実現されるため、いっそうの装置の小形化・軽量化を実現できるものとなる。
【００１２】
請求項４に記載の発明は、特に請求項３に記載の除湿機の第２の熱交換器を、物質の通路の第１の熱交換器の上流に設けたことにより、第１の熱交換器については通過する物質の温度が若干上がる傾向があることから、若干の設計変更が必要となる場合もあるが、第２の熱交換器の大きさに関しては最も温度が低い部分への放熱が実現できることから最小で済むものとなり、とりわけ駆動回路の冷却効果が大きいものとすることができる。
【００１３】
請求項５に記載の発明は、特に請求項３に記載の除湿機の第２の熱交換器を、物質の通路の第１の熱交換器の下流に設けたことにより、第２の熱交換器を通る物質の温度はやや高くなるため第２の熱交換器の形状・重量は多少大きくなるが、第１の熱交換器を通る物質の温度は低く保つことができることから、大きさを追加する必要性はほぼ零とすることができる。
【００１４】
請求項６に記載の発明は、通風路に設け、空気から水に熱を移す第１の熱交換器と、前記第１の熱交換器で加熱された水から低温の物質に熱を移す第３の熱交換器と、前記低温の物質を供給する電動機と、前記電動機を駆動する駆動回路を有し、前記駆動回路が発生する熱は前記通風路に設けた第２の熱交換器から前記通風路に放熱する構成とすることにより、駆動回路の損失による熱を効果的に空気に逃がすことができるものとなる。
【００１５】
請求項７に記載の発明は、通風路に設け、空気から水に熱を移す第１の熱交換器と、前記第１の熱交換器で加熱された水から低温の物質に熱を移す第３の熱交換器と、前記低温の物質を供給する電動機と、前記電動機を駆動する駆動回路を有し、前記駆動回路が発生する熱は前記物質の通路に設けた第２の熱交換器から前記物質に放熱する構成とすることにより、駆動回路の損失による熱を効果的に物質に逃がすことができ、駆動回路の冷却性能として高いものが得られるものとなる。
【００１６】
請求項８に記載の発明は、通風路に設け、空気から水に熱を移す第１の熱交換器と、前記第１の熱交換器で加熱された水から低温の物質に熱を移す第３の熱交換器と、前記低温の物質を供給する電動機と、前記電動機を駆動する駆動回路を有し、前記駆動回路が発生する熱は前記水の通路に設けた第２の熱交換器から前記水に放熱する構成とすることにより、駆動回路の損失による熱を効果的に水に逃がすことができるものとなる。
【００１７】
請求項９に記載の発明は、特に請求項１〜８に記載の除湿機の通風路の第１の熱交換器の下流に設けた第４の熱交換器を有し、前記第４の熱交換器を、第１の熱交換器により熱を吸収した物質からの熱を再び通風路内の空気に戻す構成とすることにより、第１の熱交換器によって冷却され温度が低下した空気が再加熱され、冷たい空気が出ることを防ぐことができる。
【００１８】
請求項１０に記載の発明は、特に請求項１〜９に記載の除湿機の駆動回路を、電動機に可変の交流電力を出力するインバータ回路を有する構成とすることにより、特に発熱に対して信頼性が課題となるインバータ回路を効果的に冷却することができ、小形軽量であると同時に高い信頼性が実現できるものとなる。
【００１９】
請求項１１に記載の発明は、特に被乾燥物を収納する乾燥室と、請求項１〜１０に記載の除湿機を有し、前記乾燥室内の空気を除湿することにより前記被乾燥物を乾燥させる構成とすることにより、駆動回路の発熱を効果的に放熱させるとともに、被乾燥物に供給する乾燥室に供給する空気の温度を高くすることによって、乾燥性能の高い装置の実現が可能となるものである。
【実施例１】
【００２０】
以下、本発明の実施例について、図面を参照しながら説明する。
【００２１】
（実施例１）
図１は、本発明の第１の実施例における除湿機の構成図である。図１において、通風路１００に設けた第１の熱交換器１０１、第１の熱交換器１０１に低温の物質１０２として、本実施例では冷媒Ｒ１３４ａを銅製の冷媒配管１０３内に用いている。圧縮機１０４は、電動機１０５と冷媒ポンプ１０６からなり、物質１０２を冷媒配管１０３内を循環させることにより、第１の熱交換器１０１に供給するものとなっている。
【００２２】
電動機１０５は駆動回路１０７によって起動と停止、また可変周波数の３相の交流電力を電動機１０５に出力することにより、その時々に応じて回転速度を可変しながら駆動されるものである。ちなみに電動機１０５は、永久磁石を用いたもので回転速度は入力される交流電力の周波数に比例して定まるものとなっており、商用電源である１００Ｖ５０Ｈｚまたは６０Ｈｚの一定周波数の交流電源を受けながら、可変速の電動機１０５の駆動が可能な構成となっている。
【００２３】
アルミニウム製でヒダを多数有する第２の熱交換器１０８は、通風路１００の第１の熱交換器１０１の下流に設けている。また、通風路１００には第２の熱交換器１０８のさらに下流に第４の熱交換器１０９、絞り弁１１０を有しており、第４の熱交換器１０９は、第１の熱交換器１０１により熱を吸収し、さらに圧縮機１０４で圧縮されて高温高圧となった物質１０２から、熱を再び通風路１００内の空気に戻すものとなっている。なお、送風ファン１１１は通風路１００内の気流を発生させるものである。
【００２４】
以上の構成により、本実施例の除湿機は、第１の熱交換器１０１が、通風路１００を通過する空気を一旦冷却して、結露を生じさせて除湿し、駆動回路１０７が発生する熱は通風路１００に設けた第２の熱交換器１０８から通風路１００に放熱し、最後に第４の熱交換器１０９によって、通風路１００内の空気が更に加熱されて右側の出口から吹き出すものとなっている。
【００２５】
図２は、本実施例の駆動回路１０７の詳細回路図を示している。駆動回路１０７は、１００Ｖ５０Ｈｚまたは６０Ｈｚの交流電源１２０を受け、チョークコイル１２１、全波の整流ブリッジ１２２、電解コンデンサ１２３、１２４によって、無負荷時の電圧が約２８０Ｖの直流電圧ＶＤＣを作り出している。その上で、直流電圧ＶＤＣを再び交流に変換し、電動機１０５に可変周波数、かつ電圧も可変とするための６石構成のインバータ回路１２８が設けられている。
【００２６】
本実施例においては、インバータ回路１２８は、ＩＧＢＴ（絶縁ゲート型バイポーラトランジスタ）１３１、１３２、１３３、１３４、１３５、１３６により構成されており、これらはすべてコレクタ・エミッタ間に逆並列ダイオード素子を内蔵したものとなっている。
【００２７】
なお、ＩＧＢＴ１３１、１３２、１３３、１３４、１３５、１３６のゲート端子・エミッタ端子はそれぞれオンオフを制御する制御回路に接続され、電動機１０５の回転子位置に応じてオンオフの信号が入力されるものとなっているが、図２においては省略している。
【００２８】
本実施例においては、整流ブリッジ１２２、インバータ回路１２８においては、リレーやトライアックを用いてコンデンサラン型の誘導電動機をオンオフ制御する場合などと比較して、大きな電力損失が発生するものとなる。
【００２９】
そして、交流電源１２０からの入力パワーが６００Ｗの動作時における駆動回路１０７の損失パワー３０Ｗのほとんどは、整流ブリッジ１２２、インバータ回路１２８において発生するものとなる。
【００３０】
本実施例では、整流ブリッジ１２２、ＩＧＢＴ１３１、１３２、１３３、１３４、１３５、１３６が第２の熱交換器１０８に取り付けられている。
【００３１】
よって通風路１００を通過する風量が、毎分２．４立方メートルとかなり大きいことから、比較的小さいアルミニウム製の放熱器で第２の熱交換器１０８を構成することができるものとなり、小形・軽量の装置を実現することができるものとなる。
【００３２】
特に本実施例においては、第２の熱交換器１０８を第１の熱交換器１０１に対して、通風路１００で下流に当たる部分に設けていることから、第１の熱交換器１０１によって冷却され温度が低下した空気が、第２の熱交換器１０８に当たるので、第２の熱交換器１０８からの放熱が非常に良く行われ、小形のものでも十分に駆動回路１０７の構成部品の温度を抑え、信頼性が確保できる構成とすることができるものとなる。
【００３３】
これに対し、通風路１００の第１の熱交換器１０１よりも上流の部分に第２の熱交換器１０８を設けた場合には、装置の入り口から入った空気がそのまま第２の熱交換器１０８に当たるものとなるので、冷却を十分行うという面では不利となるが、それでも風量が十分であるなどの場合には、効果が期待できるものとなり、またあまりにも低温である場合に発生するおそれのある、半導体素子の耐電圧の低下などの問題を起こす心配は無くなるものとなる。
【００３４】
（実施例２）
図３は、本発明の第２の実施例における除湿機の構成図である。図３においては、実施例１の場合と同等の圧縮機１０４の構成要素である電動機１０５は、駆動回路１４０によって駆動されるものとなっており、物質１０２の通路の第１の熱交換器１０１の上流に、銅製の冷媒配管１０３に接触させて構成した第２の熱交換器１４１を設けている。
【００３５】
よって駆動回路１４０の電力損失により発する熱は、第２の熱交換器１４１から、物質１０２に放熱される構成となっている。なお、駆動回路１４０は実施例１の駆動回路１０７と同様であり、上記以外の構成についても、実施例１と同じものである。
【００３６】
本実施例では、特に温度が低くなる部分である絞り弁１１０から第１の熱交換器１０１の入り口の間に第２の熱交換器１４１を設けたことにより、とりわけ体積、重量の小さい構造で駆動回路１４０の電力損失により発せられる熱を物質１０２に逃がすことができるという効果がある。
【００３７】
（実施例３）
図４は、本発明の第３の実施例における除湿機の構成図である。図４においても、実施例２の場合と同等の回路構成である駆動回路１４０、および第２の熱交換器１４１を備えているが、設ける位置は物質１０２の通路の第１の熱交換器１０１の下流側にある点が実施例２と異なるものとなっている。その他の構成については、実施例２と同等である。
【００３８】
本実施例においては、第２の熱交換器１４１を通過する物質の温度は、実施例２よりは高いものとなるが、それでも通風路１００の第１の熱交換器１０１の出口部分と比べると若干低めの温度となることから、駆動回路１４０の電力損失による発熱は、有効に物質に放熱されるものとなる。
【００３９】
また、本実施例では絞り弁１１０から出てきた低温の物質１０２は、実施例２とは異なり、そのまま第１の熱交換器１０１に入っていくものとなるため、除湿性能の面では有利に設計が行えるという効果がある。
【００４０】
（実施例４）
図５は、本発明の第４の実施例における除湿機の構成図である。図５においては、第１の熱交換器１５０と第３の熱交換器１５１が設けられており、第１の熱交換器１５０は、通風路１００内の空気から水１５２に熱を移す作用をする。水１５２は、管１５３内を流れてポンプ１５４の力で循環するものとなっており、第１の熱交換器１５０で加熱された水１５２については、第３の熱交換器１５１において、水１５２から低温の物質１０２に熱が移されるものとなっている。
【００４１】
空気から直接物質１０２に熱を移す実施例１の構成に比べ、構成要素が若干多くなり、複雑となるが、第１の熱交換器１５０の構成は簡単なもので実現することもでき、例えば通風路１００内に、水しぶきを上げさせる噴水、あるいはシャワー状の飛沫を起こして、空気中の熱を水１５２に吸収させ、その水をといのような構造で集めてくるというような構成も可能となるため、例えば通風路１００に流入する空気に奮迅や糸くずなどの異物が混ざっている場合などにおいては、それらを浄化して後段の構成に送ることもできるものとなる。
【００４２】
なお、汚れた水１５２については、適宜捨てるなどして新しい水に入れ替えても良いし、例えば衣類用の洗濯兼乾燥機などのように、水道から水を使用する装置に使用する場合には、自動的にきれいな水が供給されるようにすることもできる。
【００４３】
これに対して、実施例１の構成は、一般にフロンなどの冷媒によって物質１０２が実現される場合には、熱交換器１０１としては銅パイプに例えば１５ＦＰＩなどのピッチで金属板を多数設けた構成が必要となるが、空気内に異物が混じっている雰囲気では、目詰まりを引き起こす原因となり、長期間の使用には適さないものとなる。
【００４４】
物質１０２は電動機１０５を内蔵した圧縮機１０４によって循環されて絶えず第３の熱交換器１５１に供給されるものとなっている。
【００４５】
電動機１０５を駆動する駆動回路１０７が設けられており、駆動回路１０７が発生する熱は通風路１００に設けた第２の熱交換器１０８から通風路１００内の空気に放熱されるものとなっている。
【００４６】
特に本実施例では、第２の熱交換器１０８は、通風路１００の第１の熱交換器１５０の下流側に設けていることから、第１の熱交換器１５０によって冷やされた空気が第２の熱交換器１０８に当たる構成となり、比較的小さい形状・重量のものでも駆動回路１０７から発せられる熱が十分放熱されるという効果が上げられるものとなっているものである。
【００４７】
なお、その他の構成要素については、実施例１と同等のものが用いられて構成されているものとなっている。
【００４８】
（実施例５）
図６は、本発明の第５の実施例における除湿機の構成図である。図６においても、第４の実施例と同様に、第１の熱交換器１５０と第３の熱交換器１５１が設けられており、第１の熱交換器１５０は、通風路１００内の空気から水１５２に熱を移す作用をする。
【００４９】
水１５２は、管１５３内を流れてポンプ１５４の力で循環するものとなっており、第１の熱交換器１５０で加熱された水１５２については、第３の熱交換器１５１において、水１５２から低温の物質１０２に熱が移されるものとなっている。本実施例においては、電動機１０５を駆動する駆動回路１４０が発生する熱は、物質１０２の通路に設けた第２の熱交換器１４１から物質１０２に放熱する構成となっている。
【００５０】
特に、本実施例においては、第２の熱交換器１４１が、絞り弁１１０から第３の熱交換器１５１に達する間に設けられていることから、物質１０２の循環路内では最も温度が低い部分に駆動回路１４０から発せられる熱が放熱されるものとなることから、非常に小形の第２の熱交換器１４１にあっても十分な放熱効果が得られるものとなり、装置の小形化・軽量化に効果が上げられるものとなる。
【００５１】
（実施例６）
図７は、本発明の第６の実施例における除湿機の構成図である。図７においても、第４の実施例と同様に、第１の熱交換器１５０と第３の熱交換器１５１が設けられており、第１の熱交換器１５０は、通風路１００内の空気から水１５２に熱を移す作用をする。
【００５２】
本実施例においては、電動機１０５を駆動する駆動回路１５８が発生する熱は、水１５２の通路に設けた第２の熱交換器１５９から水１５２に放熱する構成となっている。
【００５３】
なお、駆動回路１５８の構成は、実施例１と同等のもの、すなわち図２に示し回路構成のものを使用しているものであり、第２の熱交換器１５９は銅製の管１５３の外側にやはり銅製の板を密着して設けた構成のもので、この銅板に整流ブリッジ１２２、ＩＧＢＴ１３１、１３２、１３３、１３４、１３５、１３６がビス止めして取り付けられたものとなっている。
【００５４】
（実施例７）
図８は、本発明の第７の実施例における乾燥機の構成図である。本体１６０内には、回転ドラムにより構成した乾燥室１６１、これを回転駆動するモータ１６２を設けており、収納された被乾燥物１６３は加熱室１６１の中で、回転しながら周りの空気と接する構成となっている。
【００５５】
なお、本実施例は衣類用の乾燥機であり、被乾燥物１６３は洗濯したシャツなどの衣類となる。乾燥室１６１の後方に設けたフィルタ１６４を通して、乾燥室１６１内の空気は送風ファン１６５に導かれる。
【００５６】
なお、本実施例においては、送風ファン１６５については乾燥室１６１の回転と同様にモータ１６２によって回転駆動されるものとなっている。送風ファン１６５から循環ダクト１６６を経て、除湿機１７０に入る。
【００５７】
そして除湿機１７０の出口から、乾燥空気が再び乾燥室１６１へと、循環される構成となっている。以上の構成により、乾燥室１６１内の空気が除湿され、被乾燥物１６３は乾燥されるものとなっている。
【００５８】
本実施例においては、除湿機１７０は、実施例１で述べた構成のものが使用されており、第１の熱交換器１０１、圧縮機１０４、絞り弁１１０、第４の熱交換器１０９を配置し、さらに圧縮機１０４内の電動機を駆動するための駆動回路１０７が通風路１００内に設けた第２の熱交換器１０８に取り付けられている。したがって、駆動回路１０７の電力損失によって発せられる熱は、第２の熱交換器１０８によって、通風路１００内の空気に効果的に放熱されるものとなる。
【００５９】
特に衣類用の乾燥機においては、除湿機１７０の出口の空気の温度は、例えば７０℃程度の高温であると、効果的な被乾燥物１６３の乾燥速度を得ることが可能となり、乾燥に要する時間が短くできるなど効果的な乾燥動作ができる傾向がある。
【００６０】
本実施例では、駆動回路１０７から発せられる熱は、除湿されて温度が低下した空気に対して再加熱のパワーとして作用することから、第４の熱交換器１０９による再加熱と併せて除湿機１７０の出口での空気温度をさらに若干ではあるが高めるという作用も行うものとなる。
【００６１】
ただし、乾燥が進んでいった段階で、熱交換器１０９の出口での温度があまりにも高くなりすぎた場合には、例えば第４の熱交換器１０９の温度が一定内に収まるように、乾燥空気の一部を排気口１７１から外部に排出することも必要となる場合もある。
【００６２】
本実施例の構成は、駆動回路１０７から発せられる熱が、結局除湿機１７０の出口から排出されることから、排気口１７１から外部排出する空気の量はさらに駆動回路１０７が発する熱の分だけ増加する傾向にはあるが、発明者らによる実験によれば、装置の入力電力が６００Ｗに対して、駆動回路１０７の発熱量は３０Ｗ程度であり、排気口１７１からの空気の排気量の違いは微々たるものであった。
【００６３】
また、除湿機１７０内の第１の熱交換器１０１で結露し、除湿された水については、排水口１７２から外部に排出されるものとなる。
【００６４】
なお、本実施例では除湿機１７０を実施例１の構成としたが、他の構成でもよく、例えば実施例４などのように、第１の熱交換器１５０で一旦水１５２に熱を移す構成のものなどでもかまわない。
【００６５】
物質１０２については一般にフロンなどの冷媒が良く使用されるが、これに対して水１５２の場合には、第１の熱交換器１５０は開放であっても蒸発などで逃げていくことが少なく、また逃げていって減少しても補充が簡単に行えるので、特に洗濯兼乾燥機の場合には水道も来ているので、例えば最終の濯ぎで使用された比較的きれいな水を利用するなども可能となり好都合となる。
【００６６】
加えて、衣類用の乾燥機においては、被乾燥物１６３から出る糸くず（リント）が発生するものとなるが、第３の熱交換器１５０を用いることにより、例えばシャワー状の水の飛沫が通風路１００内に生じさせるような構成でも第１の熱交換器１０１の実現が可能であることから、第１の熱交換器１５０の詰まりを防止することもでき、長期間の使用においても糸くずによる通風路１００の圧損増大による循環風量の低下などが発生することもなくすることができるものとなる。
【００６７】
なお、各実施例においては駆動回路はいわゆるＩＧＢＴを６石用いた構成のものを使用しているが、特にこの構成に限定されるものではなく、ＭＯＳＦＥＴなどのスイッチング素子を使用したもの、さらに３相以外の出力、例えば単相出力のインバータ回路や、インバータを用いず例えばトライアックにより、単に電動機をオンオフ制御するもの、あるいは位相制御により速度を可変とするものなど様々な回路構成の駆動回路が考えられるが、いずれについても電動機を駆動している際に発生する熱を効果的に逃がすという効果は期待できるものとなる。
【００６８】
また、整流ブリッジ１２２の他にも、例えば各ＩＧＢＴのゲート信号を発生する回路からの熱、あるいは例えば５Ｖや１５Ｖなどの補助的な直流電源を用いるものについては、その電源を作り出すための回路からの熱も、第２の熱交換器１０８などから効果的に放熱させることも可能である。
【００６９】
乾燥機としては、本実施例では衣類用で水平軸で回転する回転ドラムを乾燥室として有している構成を述べているが、必ずしもこのような構成であることは必要とはならず、たとえば同じ衣類用であっても、垂直軸で回転する回転ドラムを持つもの、斜めの回転軸で回転する回転ドラムを持つものなどであってもよく、さらに衣類用としての他、例えばワカメなどの乾燥を行うものとしてもよく、要は、乾燥空気を被乾燥物に当てて液分を奪うものは何でも使用できる。
【００７０】
除湿機あるいは乾燥機としては、通風路１００内の空気を移動させるファン１１１、送風機１６５も用いられるが、これらに用いられる電動機についても駆動回路から発生する熱は、それらの構成要素を第２の熱交換器に一緒に取り付けておけば、放熱させることも可能である。
【００７１】
また、各実施例においては、物質１０２としてＲ１３４ａという冷媒を使用しているが、特にこの物質であることも必要ではなく、他の種類のフロンや、ＣＯ2などの自然冷媒などであっても良く、気体であるか液体であるかも限定するものではなく、超臨界流体や固体などでもかまわないものであり、要は熱を出し入れすることができるものであれば良い。
【００７２】
また、各実施例においては、いわゆる冷凍サイクルを構成しているが、この構成についても限定されるものではなく、例えば第１の熱交換器で一旦熱を蓄えた後、再び熱を放出することなく、そのまま廃棄されるようなものであってもよい。
【図面の簡単な説明】
【００７３】
【図１】本発明の第１の実施例における除湿機の構成図
【図２】同除湿機の駆動回路の詳細回路図
【図３】本発明の第２の実施例における除湿機の構成図
【図４】本発明の第３の実施例における除湿機の構成図
【図５】本発明の第４の実施例における除湿機の構成図
【図６】本発明の第５の実施例における除湿機の構成図
【図７】本発明の第６の実施例における除湿機の構成図
【図８】本発明の第７の実施例における乾燥機の構成図
【図９】従来の乾燥機の構成図
【符号の説明】
【００７４】
１００  通風路
１０１、１５０  第１の熱交換器
１０２  物質
１０５  電動機
１０７、１４０、１５８  駆動回路
１０８、１４１、１５９  第２の熱交換器
１０９  第４の熱交換器
１２８  インバータ回路
１５０  第３の熱交換器
１５２  水
１６１  乾燥室
１６３  被乾燥物
１７０  除湿機
【図１】
2005042975.tif 000003
【図２】
2005042975.tif 000004
【図３】
2005042975.tif 000005
【図４】
2005042975.tif 000006
【図５】
2005042975.tif 000007
【図６】
2005042975.tif 000008
【図７】
2005042975.tif 000009
【図８】
2005042975.tif 000010
【図９】
2005042975.tif 000011